(57)【要約】【課題】ダイヤル式のチェーンロックは暗証番号を知らない者でも、全ての組合せを実施すれば開錠出来てしまう。鍵式の南京錠は鍵を忘れたり紛失してしまうと所有者でも開錠できず、鍵を所持・管理する煩わしさがあった。開錠方法を知らない者には開ける事が困難で、鍵を容易に管理・入手できるダイヤル式施錠装置を提供する。【解決手段】本発明のダイヤル式施錠装置は、ダイヤル部に付けた印を基準位置からのアナログ量である任意の角度や相対的な角度またはその角度における円弧長に合わせて開錠するもので、錠本体に目盛りなどが無く開錠する事は難しい。使用する鍵は開錠位置を角度やその角度における円弧長で示すものであれば良く、立体的な鍵以外にも開錠位置を図形で示した紙や電子データでも鍵として使用できる。【選択図】図１
2019015157.tif 000002
【特許請求の範囲】
【請求項１】
錠本体にある基準位置とダイヤル部に付けた印との角度を、微小な角度の増減を用いて合わせて開錠するダイヤル式施錠装置。
【請求項２】
ダイヤル式施錠装置の基準位置とダイヤル部に付けた印との角度や相対的な角度またはその角度における円弧長を示すもので、請求項１に記載のダイヤル式施錠装置を開錠するために用いる鍵。
【発明の詳細な説明】
【技術分野】
【０００１】  本発明は、ダイヤル操作により開錠や施錠を行う南京錠やチェーンロックなどの施錠装置に関する。
【背景技術】
【０００２】  南京錠やチェーンロックには、ダイヤル式のものや鍵式のものがある。【０００３】  ダイヤル式の南京錠やチェーンロックは、数種類の数字や文字などの記号を並べたダイヤル部を複数個有し、複数個のダイヤル部にある記号が暗証番号となる特定の開錠記号列となるように基準位置に揃えて開錠する。
そして開錠記号列が揃った状態から崩す事で施錠する。【０００４】  ダイヤル式の南京錠やチェーンロックは、開錠記号列を知っている者であれば開錠できるため、複数の人が共同で利用する事ができる。【０００５】  一方、鍵式の南京錠やチェーンロックは、錠と一対になっている鍵を使って開錠するため、その鍵を持っている者にしか対になっている錠は開ける事ができない。【０００６】  多くの場合、鍵は金属でできており合鍵を作る事もできる。
合鍵を必要な数だけ用意すれば、複数の人が共同で対になっている錠を利用する事も可能である。
【先行技術文献】
【特許文献】
【０００７】
【特許文献１】特許第３５５８７７２号
【発明の概要】
【発明が解決しようとする課題】
【０００８】  ダイヤル式の南京錠やチェーンロックは、ダイヤル部に記号が並び、特定の開錠記号列になるように基準位置に記号を揃えることで開錠する。
しかしながら記号の組合せはその数が有限であるため、開錠記号列を知らない者でも全ての記号の組合せを実施すれば、記号列が特定の開錠記号列に揃った時には開錠できてしまう。【０００９】  また開錠記号列を揃えるためには、各ダイヤルの記号を目視で区別する必要があり、ダイヤル錠が使用される場所は明るく視野を遮られない場所である必要がある。【００１０】  一方、鍵式の南京錠やチェーンロックは、鍵の所有者しか開錠できず防犯上の利点はあるが、鍵を忘れて持っていなかったり紛失してしまうと、錠の所有者でも開錠する事ができない。
開錠するためには現物の鍵や合鍵を再度用意する必要がある。
また、鍵は所持及び保管する煩わしさもあり、合鍵は専門業者でしか作れず簡単に入手する事はできない。【００１１】  これらの課題を解決するため、開錠方法を知らない者には開ける事が困難なダイヤル式施錠装置でありながら、簡単に管理・入手できる鍵を提供する事を目的とする。
【課題を解決するための手段】
【００１２】  本発明のダイヤル式施錠装置は、錠に複数個あるダイヤル部に付けた印を、基準位置から任意の角度や相対的な角度またはその角度における円弧長の位置に合わせて開錠するダイヤル錠であり、その開錠位置を示すものとして鍵を用いる。【００１３】  鍵は、ダイヤル錠の基準位置と各ダイヤルに付けた印との角度を、角度や相対的な角度またはその角度における円弧長で示したものであり、材質や形状を問わず、大きさはダイヤル錠の印と対比して角度が合わせられる程度であれば、平面的なものでも立体的なものでも良い。
また画像を表示する装置があれば、画像の電子データでも鍵として使用する事ができる。【００１４】  錠や鍵に付けた印を、指で触った感覚で形や凹凸の違いを判断できる形状にすることで、ダイヤルの記号を見て判断できない暗い場所でも開錠できるようになる。
【発明の効果】
【００１５】  開錠位置を知らない者が、アナログ量である任意の角度を全てのダイヤルについて合わせる事は非常に困難である。
錠本体にある基準位置とダイヤルに付けた印を、目盛りや表示などが無いところで合わせる事になるため、全ての組み合わせの数は無限に感じられ、非常に開錠しにくいものとなる。
また、複数のダイヤル部の角度が偶然合い、開錠できる確率も非常に低いため、防犯上の効果も大きい。【００１６】  角度や相対的な角度またはその角度における円弧長を示すものであれば、鍵として使用できる。
開錠位置を図形で示した紙や画像の電子データでも鍵として使用でき、角度は拡大縮小しても変わらないため、コピーして印刷した紙でも合鍵として使用する事ができる。また手で書き写したものであっても、合鍵として十分使用できる。
開錠状態における基準位置でのダイヤルの状態を撮した写真は、印の相対的な角度を示す鍵として使用できる。
特に紙や電子データは、持ち運び易い上に紛失もしにくく、保管にも便利である。また、電子データは電子メールを用いれば直ぐに他者に送る事ができ、緊急時には臨時で代理の者に錠を開錠してもらう事もできる。【００１７】  錠と鍵に付けた印が、指で触って判断できる程に区別が付くものであれば、指で触った感覚で錠のダイヤル部の印の位置を、鍵に付けた印の位置に合わせる事で角度を開錠位置に合わせた事になり、開錠する事ができる。
ダイヤル部の表示が見にくい場所や暗い場所での使用にも便利である。
【図面の簡単な説明】
【００１８】
【図１】南京錠型のダイヤル錠と、平面図形による鍵を示す図である。
【図２】チェーンロック型のダイヤル錠と、立体的なリング形状の鍵を示す図である。
【図３】立体的なリング形状の鍵および帯状の鍵を示す図である。
【図４】図１で示したダイヤル部の構造の一例を示す図である。
【図５】図２で示したダイヤル部の構造の一例を示す図である。
【図６】図２で示したダイヤル部の構造の一例を示す図である。
【図７】図２で示したダイヤル部の構造の一例を示す図である。
【図８】図２で示したダイヤル部の構造の一例を示す図である。
【図９】図２で示したダイヤル部の構造の一例を示す図である。
【図１０】図２で示したダイヤル部の構造の一例を示す図である。
【図１１】この発明の実施に加え、カモフラージュを行った実施例を示す図である。
【図１２】カモフラージュを行った錠と相対的な角度を示す鍵の実施例を示す図である。
【発明を実施するための形態】
【００１９】  この発明を実施するための形態について図を用いて説明する。
尚、本実施の形態に記載されている構成要素の材質や形状等は、特に発明の技術的範囲をそれらのみに限定する趣旨のものではない。
【実施例１】
【００２０】  図１には本発明に係る南京錠型のダイヤル錠と、紙や電子データによる平面図形で表した鍵の実施例を示す。【００２１】  錠本体１は、上部に付いた逆Ｕ字形のシャックル１５と、胴体部１６からなる。胴体部１６にはダイヤル１２１、１２２、１２３、１２４があり、その各ダイヤルには印１３１、１３２、１３３、１３４が付いている。
また、ダイヤル部の上側に位置する胴体部には、基準位置を示す印１１を設ける。この例では印１３１から１３４を縦線（｜）で示し、基準位置１１は逆三角形（▽）で示している。
尚、ダイヤル錠１のダイヤル１２２の印１３２については、図中では見えない部分に位置しているため、図示していない。【００２２】  平面２で示したものは板や紙に記述した鍵であり、図形を用いて各ダイヤルの開錠位置を示している。
逆三角形（▽）２１は基準位置を示し、基準位置２１から中心点２４に引いた直線２５は、開錠位置を示す直線との角度をつくる基準線となる。中心点２４を通る直線２２１、２２２、２２３、２２４は、各ダイヤルの開錠位置を示す直線であり、基準線２５とのなす角度で各ダイヤルの開錠位置を示している。
また直線２２１から２２４の先端には、ダイヤルの上段側からの順序でダイヤルの番号を付けている。
円２３１および２３２は中心点２４を中心とした半径の異なる同心円であり、半径はダイヤル錠の半径以上の寸法である事が望ましい。【００２３】  平面図形の鍵２を使用して、南京錠型のダイヤル錠１を開錠する方法を示す。先ず同心円２３１や２３２を目安に、ダイヤル錠１と鍵２の円の中心を合わせる。次にダイヤル錠１の基準位置１１が、鍵２の基準位置２１を通る基準線２５の線上に位置するように合わせる。
その基準位置が合った状態で、ダイヤル錠１のダイヤル１２１の印１３１を、平面図形の鍵２の▲１▼で示した直線２２１の線上に位置するように合わせ、ダイヤル１２１を開錠できる状態にする。ダイヤル１２２の印１３２は▲２▼で示した直線２２２の線上に、ダイヤル１２３の印１３３は▲３▼で示した直線２２３の線上に、ダイヤル１２４の印１３４は▲４▼で示した直線２２４の線上に全て合わせると、ダイヤル錠は開錠状態となりシャックル１５が上方に動くようになる。【００２４】  携帯端末３は、鍵となる図形を画像の電子データ４として使用した例である。開錠方法は前述の平面図形の鍵２と同様である。【００２５】  実施例１の利点を下記に示す。【００２６】  錠には基準位置（▽）と各ダイヤルに付けた印（｜）しか表示が無い。
錠には他に目盛などの表示も無いため、開錠方法や開錠位置を知らない者には、印（｜）を合わせる所が判らず、開錠することは難しい。【００２７】  紙や板に印刷した平面図形の鍵は、紙にコピーして簡単に合鍵を作ることができる。また手で紙に書き写したものでも合鍵とすることができる。一時的な使用目的であれば、紙に写した合鍵は使用後直ちに紙として処分・破棄できるので、合鍵の管理もし易い。【００２８】  画像の電子データとしての鍵は、共同使用者に簡単に送付することができる。例えば団体で倉庫を利用する場合、鍵の所有者が急用でその場所に行けない時でも、電子データを倉庫に来ている者の携帯電話やスマートフォンあるいはタブレットコンピュータなどの携帯端末に送れば、代理の者が錠を開けて倉庫を利用することができる。
画像データは角度を示した図形であるため、拡大や縮小して大きさを変えても、図中で示している角度は変わらないので、表示する携帯端末の画面寸法に寄らずに使用できる。
【実施例２】
【００２９】  図２と図３には立体的なリング形状の鍵と円弧長に寄る鍵の実施例を、本発明に係るチェーンロック型と南京錠型のダイヤル錠を用いて示す。【００３０】  図２で示すチェーンロック型ダイヤル錠５は、ワイヤー部５４の一端にダイヤル部を含む本体５５が、他端には本体５５に連結する連結部５６が取り付く構造となっている。ワイヤー部５４は鎖のチェーンである場合もある。
本体５５の基準位置５１に近いダイヤル５２には星形の印５３１を付け、次のダイヤル５２には三日月形の印５３２を付けるなどして、全てのダイヤルの印を異なる形状にする。
尚、３つめのダイヤル５２の印５３３については、図中では見えないところに位置しているため、図示していない。【００３１】  図２で示すらせん状のリング形状をした鍵６には、基準位置６１とダイヤル錠に付けた印と同じ形状の印６２１、６２２、６２３、６２４が付いている。
ダイヤル錠５に付けた星形の印５３１には鍵６に付けた印６２１が対応し、三日月形の印５３２には鍵６の印６２２が、ひし形の印５３４には鍵６の印６２４が、それぞれ対応する。
ダイヤル錠５の印５３３が図中では見えないところにあるため、対応する鍵６の印６２３も同様に見えないところにあり、図示していない。
鍵６の印６２１から６２４の各位置は基準位置６１を基準にして、ダイヤル錠５が開錠状態となる時にダイヤル部の印５３１から５３４が基準位置５１となす角度と一致する位置に配置する。【００３２】  鍵６を使用して、ダイヤル錠５を開錠する方法を示す。
先ず基準位置を示す５１と６１の逆三角形が同じ向きになるように、鍵６のらせん状の隙間を使って、ダイヤル錠５のワイヤー部５４を鍵６のリング形状の中に通す。
次に鍵６の基準位置６１が、ダイヤル錠５の基準位置５１と図中の水平方向に同じ位置になるように合わせる。
基準位置が合った状態で、ダイヤル錠５の印５３１を鍵６の印６２１の位置に合わせ、ダイヤル錠５の印５３２は鍵６の印６２２に、ダイヤル錠５の印５３３は鍵６の印６２３に、ダイヤル錠５の印５３４は鍵６の印６２４に、全て合わせた状態でダイヤル錠５は開錠状態となり、ダイヤル部を含む本体５５から連結部５６が外れ開錠する。【００３３】  図３は、南京錠型のダイヤル錠７に、立体的なリング形状の鍵８００、８０１と帯状の平面図形の鍵８０２を使用した例である。
２つの鍵８００と８０１はリングの径は異なるが、ダイヤル錠７が開錠状態となる時に基準位置７１と各ダイヤル７２の印７３１、７３２、７３３、７３４とのなす角度に一致する位置に、鍵８００の基準位置８１１を基準にして、印８２１、８２２、８２３、８２４を配置している。また鍵８０１に付けた印についても同様である。
尚、ダイヤル錠７に付けた印７３３とリング状の鍵８００、８０１に付けた印８２３については、図中では見えない位置にあるため、図示していない。開錠方法は図２で説明した方法と同様である。【００３４】  図３で帯状の紙に記述した鍵８０２は、円弧長を用いて開錠位置を示したものである。
鍵８０２に示した基準位置８１３から印８４１、８４２、８４３、８４４までの距離は、開錠時におけるダイヤル錠７の基準位置７１とダイヤルに付けた印７３１から７３４とのなす角度をダイヤル部表面における円弧長に置き換えた距離と、等しくなっている。
開錠する時は、ダイヤル錠の基準位置７１に鍵８０２の基準位置８１３の位置と向きを合わせ、この帯状の紙をダイヤル部に巻きつけて使用する。
各ダイヤルの印７３１から７３４を、鍵８０２に記述した印８４１から８４４の位置に合わせる事で鍵７は開錠する。【００３５】  実施例２の利点を下記に示す。【００３６】  ダイヤル錠５にある基準位置５１と印５３１から５３４が凹凸がある印で、同様に鍵６の基準位置６１と開錠位置を示す印６２１から６２４も凹凸のある印にする。
指で触れて各ダイヤルに付けた印の形状の区別が付くようにする事で、指の感覚でダイヤルの印を開錠位置を示す鍵の印の位置に合わせる事ができる。
暗い場所などでは視覚を使わずに指の感覚でダイヤル錠５と鍵６の印同士の位置を合わせて、開錠することができる。【００３７】  円弧長に合わせて作成した平面的な鍵８０２は、帯状の紙に手で書き写して簡易的に合鍵を製作することもできる。
【実施例３】
【００３８】  図４から図１０に本発明に係るダイヤル部の構造についての実施例を示す。図４は図１に示したダイヤル１２１の構造の一つの実施例であり、ダイヤル１２１の円周上の任意の位置に印１３１を付ける。【００３９】  図５と図６は図２で示したダイヤル５２の構造の一つの実施例である。
各ダイヤル５２の円周上の任意の位置に印５３１と５３２を付ける。【００４０】  図７から図１０は、図３で示したダイヤル７２の構造の一つの実施例である。先行技術文献としてあげた特許文献１の特許第３５５８７７２号に示されているように、ダイヤル部の内部にロックギアを持たせて２重構造にし、開錠位置を変更する事ができるようにしている。
この例ではロックギア７６とダイヤル７２の嵌合する山が２４個あるものを示している。【００４１】  実施例３の利点を下記に示す。【００４２】  図４から図６の実施例で示した印１３１、５３１、５３２は、ダイヤルの円周上３６０°、位置に制約無く付ける事ができる。
そのため１つのダイヤルについても開錠位置を微小な角度の増減を用いて設定できる。【００４３】  図７から図１０では２４山の嵌合例を示したが、山の数に制約は無い。
山の数が多い方が微小な角度の増減を調整でき、またダイヤル毎に山の数が異なるものを使用することも可能である。
特許文献１では、山の数がダイヤル表面の分割数に一致するよう制約があり、また表面の表示位置とロックギアとの位置関係もずれの無いように製作する必要があるが、本発明を実施する上では表面の印とロックギアの位置関係に制約は無く、精度を気にせず製作できる。
【実施例４】
【００４４】  図１１、図１２には、本発明に係る南京錠型のダイヤル錠においてカモフラージュの表示を施した実施例と、相対的な角度を示す鍵の実施例を示す。
この例は、チェーンロック型のダイヤル錠にも使用することができる。【００４５】  図１１は各ダイヤルに数字の０から９の番号を均等に割り振った例である。この数字はカモフラージュであり、開錠位置を示すものではない。
この実施例では開錠位置を示す印として、数字の９と０の間にある境目が設定されており、ダイヤル９２１には印９３１が、ダイヤル９２３には印９３３が、ダイヤル９２４には印９３４が設定されている。
ここでは印９３１から９３４が開錠位置に来た時に、基準位置１１に各ダイヤルにカモフラージュとして付けた数字の中心が来ないように微小な角度ずらしておく必要がある。
尚、ダイヤル９２２には印９３２が設定されているが、図中では見えない部分に印９３２が配置されているため、図示していない。【００４６】  図１２は各ダイヤルに英文を記載した例である。
この英文はカモフラージュであり、開錠位置を示すものではない。
この実施例では開錠位置を示す印として英文の最後にあるピリオド（・）に設定されており、ダイヤル９４１には印９５１が、ダイヤル９４３には印９５３が、ダイヤル９４４には印９５４が設定されている。
尚、ダイヤル９４２には印９５２が設定されているが、図中では見えない部分に印９５２が配置されているため、図示していない。【００４７】  図１１、図１２共に、鍵として図１で示した鍵２を記載している。
開錠方法は実施例１で記述した通りである。【００４８】  図１２には、相対的な角度を示す鍵として写真９９９を使用した例を示す。
ダイヤルに付けたカモフラージュのための記号を利用すれば、開錠位置を示す印が相対的な位置関係・角度で、どこにあるか判断できる。全てのダイヤルに付けた印を開錠位置に移動した時の基準位置における記号の状態や位置を記録しておけば、鍵として使用できる。
錠を開錠する際には、記録した画像通りに、基準位置における記号の状態や位置を再現すれば、ダイヤルに付けた印は開錠位置に移動した状態となり、開錠することができる。【００４９】  実施例４の利点を下記に示す。【００５０】  図１１で示した例においては基準位置と数字の中心をずらした事で、開錠方法を知らない者が従来からのダイヤル錠として全ての数字の組合せを実施しても開錠することはできない。【００５１】  図１２ではピリオド以外にも、例えば英単語“ｉｓ”のアルファベット“ｓ”を印として設定する事もできる。【００５２】  図１１、図１２の例では、開錠方法を知らない者には、開錠位置に合わせる印９３１から９３４や９５１から９５４自体がどれであるか判断できない。もし不正に鍵２を入手できたとしても、合わせる印を知らなけえば開錠する事は難しい。【００５３】  開錠状態にした時の基準位置におけるダイヤルの状態を写真に撮って画像として保存するだけで、鍵として利用できる。相対的な角度を示す鍵としての写真は図形の画像と同様に電子データとして扱うことができる。
【符号の説明】
【００５４】  １…南京錠型のダイヤル錠、２、４…平面図形の鍵、３…携帯端末、
５…チェーンロック型のダイヤル錠、１１、２１…基準位置、
２５…基準線、１２１…ダイヤル、１３１…印、
２２１、２２２、２２３、２２４…開錠位置、９９９…写真画像の鍵。
【図１】
2019015157.tif 000003
【図２】
2019015157.tif 000004
【図３】
2019015157.tif 000005
【図４】
2019015157.tif 000006
【図５】
2019015157.tif 000007
【図６】
2019015157.tif 000008
【図７】
2019015157.tif 000009
【図８】
2019015157.tif 000010
【図９】
2019015157.tif 000011
【図１０】
2019015157.tif 000012
【図１１】
2019015157.tif 000013
【図１２】
2019015157.tif 000014